(57)【要約】【課題】スキャンｔｏフォルダで使用したネットワーク上の共有フォルダへのアクセスを容易にする。【解決手段】複合機１は、画像データを受け付ける画像データ受付部１０１と、複数の共有フォルダの情報を表示するとともに、任意の共有フォルダを選択する動作を受け付ける、操作部兼用の表示部１０５と、選択された共有フォルダに画像データを送信するアクセス部１０３と、アクセス部１０３が共有フォルダに送信した履歴を作成して格納する記憶部１３とを有する。【選択図】図１
2008294792.tif 000002
【特許請求の範囲】
【請求項１】
ネットワーク上の共有フォルダを備える複数の端末と接続する複合機であって、
画像データを受け付けるデータ受付部と、
複数の前記共有フォルダの情報を表示する表示部と、
表示された任意の共有フォルダを選択する動作を受け付ける操作部と、
選択された前記共有フォルダに前記画像データを送信する送信部と、
前記送信部が前記共有フォルダに送信した送信履歴を作成して格納する記憶部と
を有することを特徴とする複合機。
【請求項２】
ユーザ情報を受け付けるログイン部をさらに有し、
前記記憶部は、前記ユーザ情報と前記共有フォルダの前記送信履歴とを対応付けて記憶することを特徴とする請求項１記載の複合機。
【請求項３】
前記送信履歴を参照して、前記画像データが送信された前記共有フォルダを前記表示部に表示するための前記共有フォルダの表示情報を作成する表示情報作成部をさらに有することを特徴とする請求項１または２に記載の複合機。
【請求項４】
前記送信履歴を参照して、前記画像データが送信された前記共有フォルダを前記端末に表示するための前記共有フォルダの表示情報を作成する表示情報作成部をさらに有することを特徴とする請求項１または２に記載の複合機。
【請求項５】
前記送信部は、前記表示情報と、前記表示情報に含まれる前記共有フォルダにアクセス可能とする情報とを前記端末に提供する請求項４記載の複合機。
【発明の詳細な説明】
【技術分野】
【０００１】
本発明は、ネットワーク上の共有フォルダを備える複数の端末と接続する複合機に関する。
【背景技術】
【０００２】
近年、オフィス等では、ＬＡＮ（Ｌｏｃａｌ  Ａｒｅａ  Ｎｅｔｗｏｒｋ）等のネットワークを介して複数台のコンピュータ（以下、端末という）を複合機に接続したシステムが利用されている。
この場合、複合機が備えるスキャナ機能を利用して画像データを読み取り、これを複合機で指定した端末の共有フォルダに格納するスキャンｔｏフォルダの機能がある（例えば、特許文献１）。
【特許文献１】特開２００４−２８０６０７号公報
【発明の開示】
【発明が解決しようとする課題】
【０００３】
しかしながら、上記従来のシステムでは、複合機によりスキャンｔｏフォルダで端末の共有フォルダに格納した画像データを、その端末や他の端末から利用するとき、画像データを格納した共有フォルダが分からなくなって探し回ることがあった。
【０００４】
本発明は上記事情に鑑みてなされたものであり、その目的とするところは、スキャンｔｏフォルダで使用したネットワーク上の共有フォルダへのアクセスを容易にすることにある。
【課題を解決するための手段】
【０００５】
本発明によれば、ネットワーク上の共有フォルダを備える複数の端末と接続する複合機であって、
画像データを受け付けるデータ受付部と、
複数の共有フォルダの情報を表示する表示部と、
表示された任意の共有フォルダを選択する動作を受け付ける操作部と、
選択された共有フォルダに画像データを送信する送信部と、
送信部が共有フォルダに送信した送信履歴を作成して格納する記憶部と
を有することを特徴とする複合機
が提供される。
【０００６】
本発明によれば、任意の共有フォルダに画像データを送信し、送信した履歴を格納することができる。これにより、端末から複合機にアクセスして複合機が格納する送信履歴を参照し、画像データを保持する共有フォルダに即座にアクセスすることができる。
【０００７】
本発明において、ユーザ情報を受け付けるログイン部をさらに有し、
上記記憶部は、ユーザ情報と共有フォルダの送信履歴とを対応付けて記憶することができる。
【０００８】
これにより、端末からユーザ情報で複合機にアクセスして送信履歴を参照し画像データを保持した共有フォルダに即座にアクセスすることができる。
【発明の効果】
【０００９】
本発明によれば、送信した画像データを保持する共有フォルダへのアクセスを容易にする。
【発明を実施するための最良の形態】
【００１０】
以下、本発明の実施の形態について、図面を用いて説明する。尚、すべての図面において、同様な構成要素には同様の符号を付し、適宜説明を省略する。
【００１１】
図１は、本発明の第１の実施の形態における複合機システムのブロック図を示す。また、図２は、複合機１のブロック図を示す。
第１の実施形態は、ネットワーク９上の共有フォルダを備える端末５〜７（図ではコンピュータ５〜７と示す）と接続する複合機１である。複合機１は、画像データを受け付ける画像データ受付部１０１と、複数の共有フォルダの情報を表示するとともに、任意の共有フォルダを選択する動作を受け付ける、操作部兼用の表示部１０５と、選択された共有フォルダに画像データを送信するアクセス部１０３と、アクセス部１０３が共有フォルダに送信した送信履歴を作成して格納する記憶部１３とを有する。
【００１２】
複合機１は、たとえば、ＬＡＮやインターネットなどのネットワーク９に接続される。この複合機１は、カラーイメージデータを読取り可能なスキャナ（不図示）を備え、ファクシミリサーバ機能、ウェブサーバ機能等を実装する。複合機１は端末５〜７とＬＡＮを介して接続され、所定のプロトコルにより相互に送受信可能であり、たとえば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルにより、種々のデータ等を送受信可能な状態に構成されている。
【００１３】
また、複合機１の各構成要素は、任意のコンピュータのＣＰＵ（Ｃｅｎｔｒａｌ  Ｐｅｏｃｅｓｓｉｎｇ  Ｕｎｉｔ）、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そしてその実現方法、装置にはいろいろな変形例があることは、当業者には理解されるところである。以下説明する各図は、ハードウェア単位の構成ではなく、機能単位のブロックを示している。
【００１４】
端末５〜７は、例えば、コンピュータ等にＯＳ（Ｏｐｅｒａｔｉｎｇ  Ｓｙｓｔｅｍ）、ブラウザ、複数のプリンタドライバ等が組み込まれている。
【００１５】
複合機１及び端末５〜７は、ファイル共有プロトコルとして例えばＳＭＢ（Ｓｅｒｖｅｒ  Ｍｅｓｓａｇｅ  Ｂｌｏｃｋ）を実装している。これにより、複合機１は、端末５〜７が備える共有フォルダにデータを書き込むことができる。
【００１６】
共有フォルダは、画像データ等のファイルを管理するファイル管理システムで機能するものである。かかるファイル管理システムでは、データベースに格納された複数のファイルを系統立てて管理する。データベースの中身をいくつかの共有フォルダを用いて階層的に分類し、ファイルを所定の共有フォルダに格納する。
【００１７】
具体的には、複合機１は、画像データ受付部１０１と、アクセス部１０３と、表示部１０５と、検出部１０７と、表示情報作成部１０９と、画像記憶部１１（図では「画像」と示す）と、記憶部１３とを有する。
【００１８】
記憶部１３は、フォルダ情報１５と、更新履歴１７とを有する。
フォルダ情報１５は、共有フォルダの場所を特定するための情報（パス）を記憶する。パスには、共有フォルダを備える端末５〜７を特定する情報や共有フォルダの名称が含まれている。このパスは、ＵＲＬ（Ｕｎｉｆｏｒｍ  Ｒｅｓｏｕｒｃｅ  Ｌｏｃａｔｏｒ）に含める構成としてもよい。また、ＵＮＣ（Ｕｎｉｖｅｒｓａｌ  Ｎａｍｉｎｇ  Ｃｏｎｖｅｎｔｉｏｎ）表記を使用することもできる。
更新履歴１７は、共有フォルダのパスと共有フォルダの更新日時とを対応付けて記憶する。図３は、更新履歴１７のデータテーブルの例を示す。
【００１９】
画像データ受付部１０１は、画像データを受け付ける。具体的には、複合機１が備えるスキャナが読み取った画像データを受付ける。また、画像データ受付部１０１は、外部の記憶装置から読み込んだ画像データを受け付けてもよいし、ネットワーク９を介して接続された端末５〜７から受け付けてもよい。
画像データ受付部１０１は、受け付けた画像データを画像記憶部１１に格納する。
【００２０】
表示部１０５は、端末５〜７を表示し、表示された共有フォルダを選択する動作を受け付ける。
たとえば、表示部１０５は、液晶表示装置（ＬＣＤ）又はＣＲＴディスプレイ等の表示装置であり、表示情報作成部１０９から表示情報を受け付けて表示させることができる。また、当該複合機１の動作状態を表示したり、送信すべき画像データを表示することもできる。
本実施形態において、表示部１０５は、タッチパネル形式となっており、当該複合機１を操作するための操作キー等を備える操作部としての機能も有している。ユーザは表示部１０５を各種設定や指示の操作入力を行うのに使用する。ユーザは表示部１０５に表示された複数の共有フォルダの中から、任意の共有フォルダを選択し、表示部１０５は、ユーザからの指示を受け付けて、アクセス部１０３に対し、画像データの送信を指示する。
【００２１】
表示部１０５や端末５〜７のディスプレイ（図示せず）において表示する共有フォルダの表示形式は、公知の表示技術を用いることができる。たとえば、アイコンで表示するアイコン表示形式、階層構造を表示する階層表示形式又は表形式で表示する一覧表示形式といった二次元形式であってもよいし、地図上に配置するマップ表示形式や部屋表示形式といった三次元構造を表示してもよい。
【００２２】
アクセス部１０３は、選択された共有フォルダに画像データを送信して共有フォルダを更新する。  
ユーザが表示部１０５を使用して表示された複数の共有フォルダから画像データを送信する共有フォルダを選択すると、アクセス部１０３は、画像記憶部１１から画像データを取得し、選択された共有フォルダに画像データを送信する。共有フォルダに画像データが書き込まれると、この共有フォルダを備える端末５〜７は、フォルダの更新コマンドをアクセス部１０３に送信する。アクセス部１０３は、この更新コマンドを共有フォルダの更新日時として認識し、共有フォルダのパスと更新日時を対応づけて更新履歴１７に記憶する。
【００２３】
また、アクセス部１０３は、共有フォルダのアクセス権の設定を受け付ける。たとえば、アクセス部１０３は、共有フォルダのパスを受け付けてフォルダ情報１５に記憶する。このアクセス権の設定は、表示部１０５から受けつけてもよいし、ネットワーク９を介して端末５〜７から受け付けてもよい。
【００２４】
検出部１０７は、端末５〜７が接続可能であることを検出する。また、検出部１０７は、ネットワーク９を介して端末５〜７が接続可能であるか否かを検出することもできる。端末５〜７が接続可能であるか否かとは、端末５〜７の電源がＯＮかＯＦＦかということが例に挙げられる。端末５〜７が接続可能であることを検出する動作としては、公知の手法を用いることができる。
【００２５】
表示情報作成部１０９は、表示部１０５に表示させるための表示情報を取得し、表示部１０５に送出する。
具体的には、表示情報作成部１０９は、検出部１０７に接続可能な端末５〜７を問い合わせ、フォルダ情報１５に格納する共有フォルダのパスに含まれる端末５〜７の情報と接続可能な端末５〜７とが一致するか否かを判断し、接続可能な端末５〜７が備える共有フォルダのみを抽出して共有フォルダの表示情報を作成する。
表示情報作成部１０９は、この表示情報を表示部１０５に送出して上記説明した表示形式によって共有フォルダを表示させる。
【００２６】
また、表示情報作成部１０９は、更新履歴１７から接続可能な共有フォルダを取得し、表示部１０５に更新履歴を有する共有フォルダを選択的に表示させることができる。
また、表示情報作成部１０９は、フォルダ情報１５及び更新履歴１７を参照しながら、複合機１が接続可能な共有フォルダを更新履歴の早い順に並べてリストを作成し、表示部１０５に表示させてもよい。
【００２７】
表示情報作成部１０９は、更新履歴を参照して、画像データが送信された共有フォルダを端末５〜７に表示するための共有フォルダの表示情報を作成する。
表示情報作成部１０９は、端末５〜７からの求めに応じ、端末５〜７で動作するアプリケーション（例えばブラウザ）で表示されるように共有フォルダの表示情報を作成し、アクセス部１０３を通じて端末５〜７に提供することもできる。ここで、端末５から表示情報の求めがあったとすると、表示情報作成部１０９は、前記した方法と同様に更新履歴の早い順に並べた共有フォルダのリストを作成し、アクセス部１０３に表示情報を送出する。アクセス部１０３はこの表示情報をネットワーク９を介して端末５に向けて送信する。
【００２８】
端末５は、複合機１から表示情報を受信すると、自身のディスプレイ（不図示）にフォルダ一覧画面を表示させる。
図４は、端末５に表示されるフォルダ一覧画面の例を示す。
図４で示すフォルダ一覧画面には、共有フォルダ名、共有フォルダを備えるコンピュータ名、共有フォルダの種類及び更新日時が表示されている。
【００２９】
つづいて、複合機１が、画像データを受け付けてユーザによって選択された共有フォルダに画像データを送信し、共有フォルダの更新履歴を格納する動作について図５を用いて説明する。
複合機１は、画像データを受け付ける（Ｓ１０１）と、フォルダ情報１５から接続可能な共有フォルダを抽出し（Ｓ１０３）、接続可能な共有フォルダを表示する（Ｓ１０９）。また、Ｓ１０９においては、更新履歴を有する共有フォルダを上位に表示する構成を採用してもよい。
ユーザは、複合機１を操作して共有フォルダを選択し、複合機１は、ユーザからの指示を受付け（Ｓ１１１）、選択された共有フォルダに画像データを送信する（Ｓ１１３）。複合機１は送信先の共有フォルダを備える端末（ここでは端末６とする）から共有フォルダを更新したことを示す更新コマンドを受信し、このコマンドを受信した時を共有フォルダの更新日時として認識し、共有フォルダの更新履歴を更新履歴１７に格納する（Ｓ１１５）。
【００３０】
つづいて、複合機１が端末５〜７に対し、画像データを格納する共有フォルダにアクセス可能とする動作について図６を用いて説明する。
ユーザは、たとえば端末５を操作し、複合機１に対し、フォルダ一覧画面を表示するための表示情報のリクエストを送信する（Ｓ１１７）。
複合機１は、端末５からリクエストを受け付けると（Ｓ１１９）、更新日時の早い順に共有フォルダに優先順位をつけてリストを作成し（Ｓ１２３）、このリストを表示情報に含めて端末５に送信する（Ｓ１２５）。
【００３１】
端末５は、複合機１から上記リストを含む表示情報を受信し、表示情報に基づいてディスプレイに表示する（Ｓ１２７）。ユーザは、更新日時の早い順に並べられた共有フォルダに係る情報（共有フォルダ名や更新日時）を見ることができる。ユーザはこのように表示された共有フォルダの中から、共有フォルダを選択し、端末５は、ユーザからの操作を受けて、共有フォルダとのアクセス要求を複合機１に送信する。
共有フォルダへのアクセス方法としては、種々の形態を採用することができる。たとえば、複合機１が上記のリストを含む表示情報をフォルダショートカット（フォルダのパス）として端末５に提供し、端末５はフォルダショートカットを選択して、複合機１から目的の共有フォルダを備える端末６に接続を切り替えてアクセスしてもよい。
また、複合機１がＧａｔｅｗａｙとなり、端末５から目的の端末６へのアクセスを複合機１が中継してもよい。
【００３２】
つづいて、本実施形態の効果について説明する。
【００３３】
本実施形態の複合機によれば、画像データを共有フォルダに送信し、共有フォルダの更新履歴を格納することができる。これにより、更新履歴の新しい共有フォルダのリストを含む表示情報を作成して端末に提供したり複合機の表示部に表示させたりすることができる。これにより、ユーザは、過去に使用した共有フォルダを容易に探すことができ、迅速に画像データを送信することができる。また、端末を操作して画像データを格納する共有フォルダを容易に選択し、画像データを取得することができる。
【００３４】
（第２の実施形態）
図７は、本発明の第２の実施の形態における複合機３のブロック図である。
第１の実施の形態と異なる点は、複合機３は、複合機１の構成に加え、ログイン部３１３を有する点及び記憶部３３は、記憶部１３の構成に加え、ユーザ情報３９を有する点である。
本実施形態においては、第１の実施の形態と異なる点のみを説明し、第１の実施の形態と同様な構成については説明を繰り返さない。
【００３５】
ログイン部３１３は、ユーザ情報を受け付ける。ユーザ情報は、たとえば、ユーザＩＤ及びパスワード等である。
ログイン部３１３は、ユーザ情報を受け付けると、ユーザ情報３９に記憶する。ログイン部３１３は、このユーザ情報を表示部３０５から受け付けてもよい。また、アクセス部３０３がネットワーク９を介して端末から受け付け、ログイン部３１３に送出してもよい。
表示部３０５は、複合機３を操作するユーザに対し、ユーザ情報の入力を求め、ユーザ情報を受け付けると、ログイン部３１３に送出する。
また、ログイン部３１３は、端末５〜７から通信開始の要求を受け付けると、端末５〜７に対し、ユーザ情報を求める。
ログイン部３１３は、ユーザ情報を受け付けると、ユーザ情報３９に記憶されたユーザ情報と受け付けたユーザ情報が一致するか否かを判断し、一致した場合、ユーザに複合機３の使用が許可され、一致しない場合は、ユーザ情報の登録を求めを表示部３０５又はアクセス部３０３に指示する。
【００３６】
更新履歴３７は、ユーザ情報と共有フォルダの更新履歴とを対応付けて記憶する。図８は、更新履歴３７のデータテーブルの一例を示す。この例において、ログインしたユーザＩＤと、ユーザが使用した共有フォルダのパスと、共有フォルダの更新日時とが対応付けて記憶されている。
【００３７】
アクセス部３０３は、表示部３０５が受け付けたユーザからの指示によって画像記憶部３１（図では「画像」と示す）から送信すべき画像データを取得する。ユーザが表示部３０５を使用して表示された複数の共有フォルダから画像データを送信する共有フォルダを選択すると、アクセス部３０３は、選択された共有フォルダに画像データを送信する。共有フォルダに画像データが書き込まれると、この共有フォルダを備える端末は、フォルダの更新コマンドをアクセス部３０３に送信する。アクセス部３０３は、この更新コマンドを共有フォルダの更新日時として認識し、更新履歴３７に、送信した共有フォルダのパス、画像データの更新日時及び送信指示をしたユーザのユーザＩＤを記憶する。
【００３８】
表示情報作成部３０９は、ログイン部３１３が受け付けたユーザ情報を基に更新記録３７から過去にユーザが使用した共有フォルダを抽出し、これを優先して表示させるための表示情報を作成する。
作成した表示情報は、表示部３０５に送出することができる。
【００３９】
また、表示情報作成部３０９は、端末５〜７からの求めに応じ、フォルダの表示画面がブラウザで表示されるように共有フォルダのリストを作成し、アクセス部３０３を通じて端末５〜７に提供することもできる。このとき、共有フォルダのリストは、ログインしたユーザが過去に更新した履歴を有する共有フォルダが優先的に並べられている。また、ユーザに関連する履歴のみをリストにしてもよい。表示情報作成部３０９は、このリストを端末のディスプレイに表示させるための表示情報としてアクセス部３０３に送出し、アクセス部３０３はこの表示情報を端末５〜７に送信する。
【００４０】
つづいて、複合機３が端末５〜７に対し、画像データを送信し、共有フォルダにアクセス可能とする動作について図９を用いて説明する。
複合機３はユーザ情報を受け付け（Ｓ３００）、ログインしたユーザが複合機３を操作することにより、複合機３は画像データを受け付ける（Ｓ３０１）。複合機３は、フォルダ情報３５から、端末５〜７のうち接続可能な端末が備える共有フォルダを抽出し（Ｓ３０３）、接続可能な共有フォルダを表示する（Ｓ３１３）。
ユーザは共有フォルダを選択し、複合機３はユーザからの指示を受けて（Ｓ３１５）、画像データを選択された共有フォルダに送信する（Ｓ３１７）。複合機３は送信先の共有フォルダを備える端末（例えば、ここでは端末６とする）からの更新コマンドを受信して、共有フォルダの更新履歴を格納する（Ｓ３１９）。
【００４１】
画像データの送信後、ユーザは、たとえば端末５を操作し、複合機３に対し、フォルダ一覧画面を表示するための表示情報のリクエスト及び複合機３にログインするためのユーザ情報を送信する（Ｓ３２０）。
複合機３が端末５に対し、画像データを格納する共有フォルダにアクセス可能とする動作について図１０を用いて説明する。
複合機３は、端末５から表示情報のリクエストとともにユーザ情報を受け付けると（Ｓ３２１）、更新したユーザとログインしているユーザが一致するか否かをユーザ情報によって判断し、ユーザ情報がログインしたユーザと一致する共有フォルダがあった場合（Ｓ３２５のＹ）これを優先してリストを作成する（Ｓ３２７）。また、ユーザ情報が一致する共有フォルダが複数ある場合はそれぞれの共有フォルダを更新日時の早い順に優先順位をつける。また、残りの接続可能な共有フォルダについても更新日時の早い順に優先順位をつける（Ｓ３２９）。このようにして作成されたリストは、表示情報に含めて端末５に送信される（Ｓ３３１）。
【００４２】
端末５は、複合機３から表示情報を受信し、表示情報に基づいてディスプレイにフォルダ一覧画面を表示させる（Ｓ３３３）。ユーザは、自身が複合機３を利用して読みこんだ画像ファイルを格納する共有フォルダに係る情報が上位に表示される画面を見ることができる。ユーザは、画像データを格納する共有フォルダを選択し、端末５は、ユーザからの操作を受けて、共有フォルダにアクセスする。目的の共有フォルダへのアクセス方法は第１の実施形態で説明したとおりである。  
【００４３】
つづいて、本実施形態の効果について説明する。
本実施形態の複合機によれば、ユーザ情報と共有フォルダの更新履歴とを対応付けて記憶することにより、過去にユーザが更新した共有フォルダを抽出し、優先して表示するためのリストを作成することができる。複合機はこのリストを表示することにより、ユーザは、使用履歴のある共有フォルダを容易に探すことができ、迅速に画像データを送信することができる。
また、端末の求めに応じて端末に表示情報を送信することにより、端末を利用するユーザは、端末のディスプレイを通じて入手したい画像データを格納する共有フォルダを優先して見ることができる。したがって、ユーザは端末を操作してこの共有フォルダを選択し、端末は、ユーザからの指示を受けて、複合機を透過して共有フォルダにアクセスすることができる。これにより、複合機から送信した画像データを迅速に入手することができる。
【００４４】
また、本実施形態の複合機を透過して、端末は共有フォルダにアクセスすることができる。複合機はユーザ情報を管理し、ログイン機能を有するので、共有フォルダのユーザ登録を各コンピュータで行う必要はなく、複合機で共有フォルダに対するアクセス権限を一括管理することができる。これにより、セキュリティの高いＬＡＮを容易に実現することができる。
【００４５】
以上、図面を参照して本発明の実施形態について述べたが、これらは本発明の例示であり、上記以外の様々な構成を採用することもできる。
【００４６】
たとえば、本実施形態では、複合機が透過して端末が共有フォルダにアクセスする構成を例にあげて説明したが、端末は共有フォルダへのリンクを表示して、リンクを選択することにより、その共有フォルダへアクセス（ジャンプ）することができる。
【００４７】
また、本実施形態において、接続可能である端末が備える共有フォルダを抽出する構成を例に挙げて説明したが、共有フォルダに接続可能か否かを区別して表示情報に含めてもよい。こうすることにより、端末は複合機が接続する共有フォルダをすべて表示し、かつ、接続可能か否かを区別して表示することができる。
【図面の簡単な説明】
【００４８】
【図１】本発明の第１の実施の形態における複合機システムのブロック図である。
【図２】本発明の第１の実施の形態における複合機のブロック図である。
【図３】本発明の第１の実施の形態におけるデータテーブルの一例である。
【図４】本発明の第１の実施の形態における端末に表示される画面の一例である。
【図５】本発明の第１の実施の形態における複合機の動作を説明するフローチャートである。
【図６】本発明の第１の実施の形態における複合機の動作を説明するフローチャートである。
【図７】本発明の第２の実施の形態における複合機のブロック図である。
【図８】本発明の第２の実施の形態におけるデータテーブルの一例である。
【図９】本発明の第２の実施の形態における複合機の動作を説明するフローチャートである。
【図１０】本発明の第２の実施の形態における複合機の動作を説明するフローチャートである。
【符号の説明】
【００４９】
１  複合機
３  複合機
５  コンピュータ
６  コンピュータ
７  コンピュータ
９  ネットワーク
１１  画像記憶部
１３  記憶部
１５  フォルダ情報
１７  更新履歴
３１  画像記憶部
３３  記憶部
３５  フォルダ情報
３７  更新履歴
３９  ユーザ情報
１０１  画像データ受付部
１０３  アクセス部
１０５  表示部
１０７  検出部
１０９  表示情報作成部
３０１  画像データ受付部
３０３  アクセス部
３０５  表示部
３０７  検出部
３０９  表示情報作成部
３１３  ログイン部
【図１】
2008294792.tif 000003
【図２】
2008294792.tif 000004
【図３】
2008294792.tif 000005
【図４】
2008294792.tif 000006
【図５】
2008294792.tif 000007
【図６】
2008294792.tif 000008
【図７】
2008294792.tif 000009
【図８】
2008294792.tif 000010
【図９】
2008294792.tif 000011
【図１０】
2008294792.tif 000012